(57)【要約】      （修正有）【課題】送風効率が高く，静音かつ風量が大きい運転が出来、同時に高い送風動圧を発生することが出来る、ファンにおける気流発生構造を提供する。【解決手段】気流発生構造及びその応用装置は、気流発生構造において、ハブ部の一端から外側に向かって延出する保持部を形成すると同時に、保持部の周縁から、軸方向に沿って、複数の連続間隔で配列されたスポイラーを形成され、これらのスポイラーの二面が曲面形態を呈し、その外縁が外側に向かって傾斜する態様を形成することで、各スポイラーの末端が取り巻き形成される範囲が該保持部より大きくなるため、該ハブ部の該保持部から離れた一端で空気を吸入した後、空気を他端に向かって流動させ、保持部の周縁を通過して外側に吹き出させる。【選択図】  図５
2007032348.tif 000002
【特許請求の範囲】
【請求項１】
その一端が保持部として延伸するハブ部と、曲面形を呈する複数のスポイラーが、その一端が該保持部の周縁において、連続間隔で配列され、その他端に取り囲まれて構成された面積が該保持部の面積より大きいことを含むことを特徴とする気流発生構造。
【請求項２】
該各スポイラーの二面がそれぞれ分かれて、外側に突出及び内側にくぼんだ曲面であることを特徴とする請求項１に記載する気流発生構造。
【請求項３】
該各スポイラーには、該保持部と連結する基部と、該保持部と離れた末端と、該ハブ部に近い内縁、及び該ハブ部から離れた外縁とを含むことを特徴とする請求項１に記載する気流発生構造。
【請求項４】
該各スポイラーの外縁が該ハブ部の中心軸方向と外側に向かって傾斜角度を形成することを特徴とする請求項３に記載する気流発生構造。
【請求項５】
該各スポイラーの内縁が該ハブ部の中心軸方向と外側に向かって傾斜角度を形成することを特徴とする請求項３に記載する気流発生構造。
【請求項６】
請求項３記載の気流発生構造において、この中に更に安定リングを包含し、該各スポイラー末端の外側を取り囲み、該各スポイラーに連結することを特徴とする、気流発生構造。
【請求項７】
該保持部が該ハブ部と接する箇所は丸角を形成することを特徴とする請求項１に記載する気流発生構造。
【請求項８】
該保持部の外側縁辺に、該スポイラーと交差配列する複数の通気孔を開設することを特徴とする請求項１に記載する気流発生構造。
【請求項９】
該ハブ部の周囲に、複数のスポイラープレートが設置されていることを特徴とする請求項１に記載する気流発生構造。
【請求項１０】
該保持部の該ハブ部周囲に近いエリアにおいて、複数の開孔を開設していることを特徴とする請求項１に記載する気流発生構造。
【発明の詳細な説明】
【技術分野】
【０００１】
本発明はファンに関するものであり、特に静音で、風量が大きい気流発生構造及びその応用装置に関する。
【背景技術】
【０００２】
ファンの機能は、主に強制的に気体流動を起すことで、強制的に対流効果(forced convection)を生み出すことにある。一般的に言うと、ファンの吸気方向は、インペラーの回転軸方向と平行で、回転軸方向に沿って、空気を吸入し、さらに、回転翼を押して送風を行い、その送風方向は、インペラーの幾何構造と関係する。「図１A〜図１C」を見ると、ファンインペラー（impeller）の幾何構造は、吸気及び送風の相対関係に基づいて、軸流ファン１（axial-flow fan）、横流ファン２（radial-flow fan）及び斜流ファン３（diagonal-flow fan）という、三種類に分けることができる。
【０００３】
「図２」と同時に「図１A」を見ると、軸流ファン１の吸引、送風の方向が同じであり、軸流ファン１の長所は、構造が簡単で、製造コストが安いため、空調システム或いは放熱装置に広く応用されている。軸流ファン１はハブ部１ａ（hub）の外側周縁において、半径方向に沿って、外側に延出する複数の回転翼１ｂ（blade）を設置し、該ハブ部１ａを駆動回転する。該回転翼１ｂが気体を押して、該ハブ部１ａの回転軸方向に沿って流動する。該軸流ファン１の回転翼１ｂの送風効果は、回転翼１ｂの接線速度と関係しており、各回転翼１ｂ上において、回転軸中心部の部分に近ければ近いほど、接線速度が低くなり（V=ω×r、Vは接線速度、ωはファンハブ部１ａの回転速度、rは回転軸中心までの距離）、該ハブ部１ａのエリアに近ければ近いほど、風速によって、生じる動圧（dynamic
pressure）が小さくなるため、吸気及び送風効果が低減し、構造が日々複雑になり、流れ場の抵抗力が日々増加している放熱器に用いる場合、動圧が不足し、気流を押し出して放熱器の放熱表面を確実に通過させることができないという問題が存在する。
【０００４】
その他、該軸流ファン１が回転する時、回転翼１ｂの末端の風きり音で騒音が発生し、高速回転する時に、騒音が高まるだけでなく、その周波も高周波に変化する傾向につれ、人間の耳に不快感を与える高周波騒音となる。また、回転翼１ｂが風きり時に、回転翼１ｂ末端の流れ場が容易に渦巻を形成することで、回転翼１ｂ末端が流れ場の引張妨害を受ける。軸流ファン１の回転翼１ｂの設置方法は、ハブ部１ａの周縁から半径方向に沿って、外側に延出して回転翼１ｂを形成し、機械構造上におけるこれらの回転翼１ｂの構造は片持ち梁（cantilaver beam）と同様であるため、渦巻の影響を受けると、これらの回転翼１ｂに揺れ振動が生じ、長く運転していると、振動問題でシステムに共振が起きる可能性がある外、回転翼１ｂとハブ部１ａの連結箇所も容易に損害を受け、トルクと座屈作用を受け続けた後、回転翼１ｂの剛性が不足している時、回転翼１ｂが破損断裂させ易くなる。また、回転過程において、回転翼１ｂの揺れによって、生じる振動以外に、軸流ファン１の組立及びデバイスの公差により、ハブ部１aの中心軸方向の前後の位置制限において、一定の間隙を具えて、該軸流ファン１の運転時に、間隙のハブ部１ａが回転軸方向に沿って、前後に振動変位が起こることで、別の振動が形成されて、騒音源となり、その騒音で音量を増すだけでなく、システムに共振をおこすリスクも高くなる。
【０００５】
軸流ファン１の風量を増加するためには、一般には、直接、ファンの回転速度を高めることで達成できるが、回転速度を高めた後に、回転翼１ｂの末端で、空気の風きり音、たたく音の作用がさらに明確となることで、騒音量が更に高くなってしまう。そのために、騒音を増加しない限り、風量を高めるには、回転翼１ｂのスタイルについて改良することのみであるが、この回転翼１ｂの形状を改良した回転翼１ｂの風きり音のスムーズ性を高めることによって、回転翼１ｂで生じる風きり音の騒音を低減することができる。しかし、このようにすると、回転翼１ｂの形状がさらに複雑となり、精密射出成型によって、回転翼１ｂを製造することは、その射出成型の型枠製作及び射出成型作業の困難性が増すだけでなく、製造コストが高くなると同時に生産時間も増大してしまう。
【０００６】
「図３」と同時に「図１B」を見ると、横流ファン２（radial-flow
fan）のインペラー構造及び吸気、送風の相対関係を示している。横流ファン２は、軸方向から吸気して、半径方向に送風し、吸気及び風排出方向が相互に垂直となっている。該横流ファン２は、インペラーバックプレート２ａの縁辺において、複数の軸方向に沿って伸びる回転翼２ｂが設置され、そして、該インペラーバックプレート２ａと回転翼２ｂの前方に、吸気カバープレート２ｃを設置し、該吸気カバープレート２ｃの中央部位が中空となって、吸気口２ｄを形成する。該横流ファン２の最も外縁の箇所に送風口２ｅを形成している。それは、回転翼２ｂの最大接線速度を具える位置であるために、該横流ファン２から離散する全ての空気は、最大接線速度で排出できる。その送風で生じる動圧も前記の軸流ファン１と比べて高くなる。しかし、横流ファン２が軸方向から吸気し、半径方向に送風される流体流動の方向は、その流体がインペラー構造内において、9０°の流動方向に変更することを呈し、流体の流線（Streamline）自然法則に適しないため、インペラー構造内で渦巻（vortex）及びよどみ流れ（Stagnation flow）の発生で、空気の実際流量の低減し、流れ場の抵抗力を増大してしまう。
【０００７】
「図４」と同時に「図１C」を見ると、斜流ファン３の構造及び吸気、送風の相対関係を示している。該斜流ファン３（diagonal flow）には、ハブ部３ａを含めてある。該ハブ部３ａの周囲に、複数の回転翼３ｂが形成され、該ハブ部３ａが錐体の形態を呈することで、該斜流ファン３が軸方向から空気を吸引し、空気が該ハブ部３ａの周囲に到達し、該回転翼３ｂを押し出し及びハブ部３ａの導引を受け、送風方向が外部に向かった傾斜角度を形成し、吸気及び送風方向の間に挟まれた角を形成する。該斜流ファン３は前記軸流ファン１構造の改良であるため、その排出する風面積の円周半径が吸引面積の円周半径より大きくなることで、送風の接線速度が大きくなり、送風で生じる動圧が増加して、吸気及び送風量が前記軸流ファンより高くなる。しかし、斜流ファン３は全ての排出気流が、インペラー縁辺において、最大接線速度で排出されるとは限らないため、横流ファン２と比べても、やはり動圧が低く、送風量が比較的小さいという問題が存在する（公知・公用の従来技術に基づき発明したため、出願人は本発明に関連する先行技術文献を知らない）。
【発明の開示】
【発明が解決しようとする課題】
【０００８】
従来のファン装置において、軸流ファンの送風効率が悪く、且つ高回転速度において、風きりがスムーズでないことにより、回転翼が空気の風きり音、たたく音がした時に騒音及び振動問題が生じ、耳に不快感を与え、回転翼の振動の揺れで、その使用寿命を減少させる。また、横流ファンは、気流がインペラー構造において、9０度という大きな座屈を形成していなければならないため、流れ場の抵抗力が大きく、送風量にも影響を与える。斜流ファンは横流ファン及び軸流ファンの構造の結合であるが、排出する風の接線速度が比較的大きいという長所で、軸流ファンの風圧不足という欠陥を改善したが、その送風の動圧及び送風量の大きさについて、改善すべき余地がある。
【０００９】
本発明はこのような問題を鑑てなされたものであり、その主な目的は、気流発生構造及びその応用装置（air flow generating structure and its apparatus）を提供することであり、その送風効率が高く、低い回転速度で大きい風量を起すことができるため、静音且つ風量が大きい運転を提供し、同時に高い送風動圧を提供することで、流れ抵抗の高い放熱装置に応用することができる。
【課題を解決するための手段】
【００１０】
上述の目的を達成するために、本発明は、一種の気流発生構造及びその応用装置を開示する。この気流発生構造には、上端部及び下端部を有するハブ部は、下端部の外縁に沿って、半径方向に延出する保持部を形成し、その保持部の片側で保持面を形成すると、該保持面の周縁に設置される複数のスポイラーは、該ハブ部の片側に近い内縁を形成し、該ハブ部の片側から離れて外縁を形成し、該外縁が該スポイラーの根部から外側に向かって傾斜して、該各スポイラー末端の外側を取り巻いて構成する範囲が該保持部より大きくなることを含んでいる。
【発明の効果】
【００１１】
本発明の効果は、該各スポイラーが軸方向に沿って該保持部上に形成されることで、容易にスポイラーの設置数を増加できるため、風量を高めると共に、回転速度を低減でき、この低回転速度で、スポイラー先端は空気との衝撃を減少することで、騒音量を低下させることができる。また、保持面を利用して、風力の受圧面を形成し、該気流発生装置を軸方向の位置に固定することで、デバイスの組立公差によって、該気流発生装置が前、後の変位振動が生じることを避けられる。
【００１２】
また、これらのスポイラーが軸方向と傾斜角度を形成することで、スムーズに気流の流れる方向を変更でき、気流流動を更にスムーズにさせ、該ハブ部周囲で形成する渦巻及びよどみ流れ現象を減少し、流れ抵抗を低減させ、該気流発生構造の送風量を高めることができる。また、送風位置が該気流発生構造の最も外側に位置することで、最大の接線速度を具え、本発明である送風の動圧が高いという効果を具えることができる。
【発明を実施するための最良の形態】
【００１３】
本発明の特徴と実施に関し、図面を合わせて、良い実施例を参照して、以下のとおりに詳細に説明する。
【００１４】
「図５」及び「図６」は、本発明の第一好ましい実施例を示すものであり、一種の気流発生構造１０の開示し、これには、ハブ部１１、保持部１２、複数のスポイラー１３及び安定リング１４を含めてある。
【００１５】
該ハブ部１１には上端部１１１及び下端部１１２を具え、該上端部１１１は略凸面形態を呈し、該下端部１１２にチャンバー１１３に凹設され、該チャンバー１１３内に、外側に向かって伸びる回転軸１５(spindle)が挿設されている。
【００１６】
該保持部１２は略リング状プレートの形態を呈し、該ハブ部１１下端部１１２の外縁において、一体成型され、該ハブ部１１の半径方向に沿って、外側に延出し、該保持部１２が該ハブ部１１の一面に向かって保持面１２１を形成している。
【００１７】
該各スポイラー１３の二面はそれぞれ外側に突出及び内側くぼんだ曲面に分かれ、その外形が曲面形状を呈している。該各スポイラー１３は基部１３１及び末端１３２を具え、その高さは該ハブ部１１と大体同じで、これらの基部１３１が該保持部１２と連結することで、該各スポイラー１３を連続間隔で該保持部１２の周縁に配列し、該末端１３２が該保持部１２から離れており、該各スポイラー１３を該保持面１２１から上方に向かって延出する。該各スポイラー１３には、さらに該ハブ部１１に近い内縁１３３、及び、該ハブ部１１から離れた外縁１３４を具え、該外縁１３４が外側に傾斜し、該ハブ部１１の中心軸線と傾斜角度を形成していることで、該各スポイラー１３の末端１３２外側の縁辺を取り囲んでいる範囲が該保持部１２より大きくなるため、気体が軸方向に沿って、該各スポイラー１３を通過した後、該保持部１２の周縁の外側から通過し、そして、該ハブ部１１の中心軸線に平行となる速度コンポーネントを具えることで、該気流発生構造１０から離散させる。
【００１８】
該安定リング１４は、該各スポイラー１３の末端１３２の外側縁辺を取り囲んで配置され、該各スポイラー１３と連結することで、剛性の支持効果を与えられ、該各スポイラー１３末端１３２の間で一定間隔を維持し、気流の揺れによる妨害を受けない。
【００１９】
「図７」は、該気流発生構造１０のハブ部１１、保持部１２及びスポイラー１３の連結関係と作用方法を示した断面図である。
【００２０】
該気流発生構造１０を回転すると、流れ場を作り出して、該ハブ部１１上方から空気を吸引し、気流が該上端部１１１に達する前、分散を開始し、該ハブ部１１の周囲に流れ込み、そして、該各スポイラー１３の間を通過し、該保持部１２の周囲から下方に向かって、吹き出されることで、軸方向への送風を形成する。
【００２１】
「図８」から「図１０」は、本発明の気流発生構造１０を応用して、製作された気流発生装置１００である。該気流発生装置１００は、該気流発生構造１０を筺体２０内に設置し、駆動モータ３０で駆動回転させることで、該気流発生構造１０を利用して、軸方向に向かって送風する。この中の、該筺体２０は四つの側壁２１によって、ホール領域２２を形成し、該ホール領域２２が略円形であり、該気流発生構造１０を収納できような空間となり、該ホール領域２２に、吸引口２３及び送風口２４を具え、複数の支持バー２６によって、支持台２５を該送風口２４に架設している。
【００２２】
該駆動モータ３０には、回転子３１、固定子３２及び回路板３３を含めてあり、該回路板３３を平らに該支持台２５上に設置し、該固定子３２が該回路板上に架設され、該回転子３１が略リング状を呈して、該ハブ部１１のチャンバー１１３に設置されている。
【００２３】
該気流発生構造１０は、該筺体２０のホール領域２２内に収納され、該ハブ部１１で、該固定子３２を穿設され、また、該回転軸１５が該固定子２５上に挿設されることで連結状態を形成して、該回転子３１が該固定子３２の外側を取り囲んでいる。該回路板３３を利用して、電流を該固定子３２に提供することで、磁場変化を発生させ、該回転子３１を回転させることで、該気流発生構造１０を回転させる。
【００２４】
スポイラー１３によって、空気が該ハブ部１１上端部１１１の片側から吸入され、スポイラー１３で、加速させた後、該保持部１２の外側を通過して、軸方向に沿って送風口２４に向かって吹き出されることで、「図７」のような流れ場の形態を呈する。
【００２５】
本発明の効果は、これらのスポイラー１３は該保持部から軸方向に沿って延出することで、密集したスポイラー１３の配列を提供され、これらのスポイラー１３の数を増加させることで、本発明を運転する時に、低回転速度で高い風量効果に達することができる。また、低回転速度で、スポイラー１３末端１３２の接線速度が低くなり、風きりの力を低減し、これらのスポイラー１３が空気衝撃から守られる。また、低い接線速度で、これらのスポイラー１３への空気衝撃で発生する高周波騒音も低減することができる。
【００２６】
そして、該安定リング１４で、さらに、これらのスポイラー１３を安定する効果を発揮でき、これらのスポイラー１３の末端１３２を連結して、安定構造を形成し、大幅にスポイラー１３の揺れ程度を低減でき、損壊の発生を防止し、且つ該安定リング１４がこれらのスポイラー１３の末端１３２の流れ場内の風きりをスムーズにし、気流発生構造１０の効果を向上させる。
【００２７】
空気の吸入過程において、該保持部１２で、受圧面を構成し、気流に押されることで、該気流発生構造１０が該固定子３２及び支持台２５に向かう圧力を受けることによって、該気流発生構造１０の運転中、軸方向に沿って、前後変位せずに、該気流発生構造１０の前後変位振動で生じる騒音及びシステムの振動を低減する。
【００２８】
また、空気が該気流発生構造１０によって、中心軸方向に沿って、吸入された後、該各スポイラー１３の外縁１３４が該ハブ部１１の中心軸線と傾斜角度を形成しているため、気流がスムーズに該ハブ部１１上方から該保持部１２の外側縁辺に向かって流動することができ、従来の横流ファンと比べても、本発明は、該ハブ部１１の周囲において発生する渦巻及びよどみ流れ現象を減少でき、流れ抵抗が高すぎるという欠点を改善し、送風の動圧を向上することができる。
【００２９】
「図１１」は、更に良い気体引き込み効果を提供するため、本発明の第二の好ましい実施例で一種の気流発生構造４０を提供し、これには、ハブ部４１、保持部４２、複数のスポイラー４３及び安定リング４４を含めてある。その構造は第一実施例と大体同じであるが、主な相違は該保持部４２と該ハブ部４１間の連接箇所において、アーチのべベル角４５を形成し、空気が該ハブ部４１の上方から該保持部４２に向かってスピーディーに流動する時、気流が該アーチのべベル角４５を通じて引き込まれ、該保持部４２の外縁に向かってスムーズに流動して、該ハブ部４１の下方に吹き出す。空気は該保持部４２上に直接衝撃を与えて、空気の動圧が減少することで、影響送風量及び風圧の影響を避けることができる。
【００３０】
「図１２」は、更に良好な気体の引き込み効果を提供するため、本発明の第三の好ましい実施例で一種の気流発生構造５０を提供し、これには、ハブ部５１、保持部５２、複数個のスポイラー５３及び安定リング５４を包含する。その大まかな構造は第一好ましい実施例と同じで、主な相違は、該保持部５２の外側縁辺において、該各スポイラー５３と交差配列する、複数の通気孔５２１を開設することである。これらの通気孔５２１で、通気面積を増加し、流れ抵抗を低減させることで、該気流発生構造５０から吹き出す風量を増加できる。
【００３１】
「図１３」は、本発明の第四の好ましい実施例で、一種の気流発生構造６０を提供し、これには、ハブ部６１、保持部６２、複数のスポイラー６３及び安定リング６４を含めてある。該保持部６２は、該ハブ部６１の一端から延出して形成され、該各スポイラー６３の一端が該保持部６２の周縁に連続間隔で配列され、該安定リング６４によって、該各スポイラー６３末端の外側を取り囲み、該各スポイラー６３を連結することで、安定した効果を果たして、該各スポイラー６３が気流の発生過程においても揺れを生じさせない。第四好ましい実施例と第一好ましい実施例の最大の相違は、該保持部６２は、該ハブ部６１周囲に近いエリアにおいて、更に複数の開孔６２１を開設し、該ハブ部６１の周囲に、更に複数のスポイラー板６２２を設置し、これらの開孔６２１によって、該ハブ部６１周囲の空気流量を増やして、風量を増大させ、そして、これらのスポイラー板６２２で、乱流作用を発揮し、該ハブ部６１周辺の流れ場構造を破壊させ、該ハブ部６１周辺の流体停滞エリアの流れ場構造を変更することで、この領域の流体流動を強化させ、流れ抵抗を低減し、風量を増大させる。
【００３２】
「図１４」から「図１６」は、本発明の第五の好ましい実施例で、一種の気流発生構造７０を提供することである。第五の好ましい実施例は、第一の好ましい実施例と大体同じで、該気流発生構造７０には、ハブ部７１、保持部７２、複数個のスポイラー７３及び安定リング７４を含めてある。該保持部７２は、ハブ部７１の一端から延出して形成され、該各スポイラー７３の一端は、該保持部７２の周縁において、連続間隔で配列されている。
【００３３】
該各スポイラー７３は、基部７３１、末端７３２、該ハブ部７１に近い内縁７３３及び該ハブ部７１から離れた外縁７３４を具える。該基部７３１は、該保持部７２と連結し、該安定リング７４は、該各スポイラー７３末端７３２の外側を取り囲み、該各スポイラー７３を連結することに用いる。
【００３４】
該外縁７３４は、外側に向かって傾斜し、該ハブ部７１の中心軸線と傾斜角度を形成し、該内縁７３３も外側に向かって傾斜し、該ハブ部７１の中心軸線と外側に向かった傾斜角度を形成する。第一の好ましい実施例と比較すると、本実施例において、該内縁７３３が外側に向かって傾斜することで、該各スポイラー７３と該ハブ部７１の間のスペースを縮小し、幾何形状が更に流線に適することで、空気流動を更にスムーズにさせる。また、該各スポイラー７３と該ハブ部７１の間のスペースが縮小し、気流が滞在するスペースが減少し、引き込まれた気流が事前にスポイラー７３の内縁７３３から吹き出され、滞在時間が長すぎることで渦巻及びよどみ流れが強くなることを避けられる。即ち、気流の滞在時間を短縮することで渦巻及びよどみ流れの発生を減少させ、気流が該気流発生構造７０を通過する流れ場の抵抗力を有効に低減することができる。
【００３５】
本発明の吸気、送風方向は、斜流ファンと類似しているが、全てのスポイラーは、保持部の外縁に設置しているため、スポイラーを通過して、該気流発生構造から離散した空気が最大の接線半径を具えることで、接線方向の速度を大きくして、高動力を発生させることで、横流ファンと類似した長所を具える。
【００３６】
また、本発明のスポイラーの外形が曲面形状で、且つその外縁と回転軸方向が挟まれた角を形成し、気流をスムーズにハブ部上方から、該保持部の縁辺に向かって流動することで、該ハブ部の周囲で形成されている渦巻及びよどみ流れの現象を低減させ、流れ場の抵抗力を減少することで、本発明を同時に横流ファンに近い送風の動圧及び送風量を具えて、その流れ抵抗が大きすぎるという欠点を更に一歩進んで改善できる。
【図面の簡単な説明】
【００３７】
【図１Ａ】従来のファンの吸気及び送風方向を示す図である。
【図１Ｂ】従来のファンの吸気及び送風方向を示す図である。
【図１Ｃ】従来のファンの吸気及び送風方向を示す図である。
【図２】従来の軸流ファンの斜視図である。
【図３】従来の横流ファンの斜視図である。
【図４】従来の斜流ファンの断面図である。
【図５】本発明の第一の好ましい実施例の斜視図である。
【図６】図５の断面図である。
【図７】本発明の第一の好ましい実施例の流れ場を示す図である。
【図８】本発明の第一の好ましい実施例の応用図である。
【図９】本発明の第一の好ましい実施例の応用図である。
【図１０】本発明の第一の好ましい実施例の応用図である。
【図１１】本発明の第二の好ましい実施例の斜視図である。
【図１２】本発明の第三の好ましい実施例の斜視図である。
【図１３】本発明の第四の好ましい実施例の斜視図である。
【図１４】本発明の第五の好ましい実施例の斜視図である。
【図１５】図１４の断面図である。
【図１６】本発明の第五の実施例の流れ場を示す図である。
【符号の説明】
【００３８】
１                         軸流ファン
１ａ                     ハブ部
１ｂ                     回転翼                                              
２                         横流ファン
２ａ                     インペラーバックプレート
２ｂ                     回転翼
２ｃ                     吸気カバープレート
２ｄ                     吸気口
２ｅ                     送風口
３                         斜流ファン           
３ａ                     ハブ部
３ｂ                     回転翼
１０                     気流発生構造
１１                     ハブ部
１１１                  上端部
１１２                  下端部
１１３                  チャンバー
１２                     保持部
１２１                  保持面
１３                     スポイラー
１３１                  基部
１３２                  末端
１３３                  内縁
１３４                  外縁
１４                     安定リング
１５                     回転軸
２０                     筺体
３０                     駆動モータ
２１                     側壁
２２                     ホール領域
２３                     吸引口
２４                     送風口
２５                     支持台
２６                     支持バー
３０                     駆動モータ
３１                     回転子
３２                     固定子
３３                     回路板
４０                     気流発生構造
４１                     ハブ部
４２                     保持部
４３                     スポイラー
４４                     安定リング
４５                     丸角
５０                     気流発生構造
５１                     ハブ部
５２                     保持部
５２１                  通気孔
５３                     スポイラー
５４                     安定リング
６０                     気流発生構造
６１                     ハブ部
６２                     保持部
６２１                  開孔
６２２                  スポイラープレート
６３                     スポイラー
６４                     安定リング
７０                     気流発生構造
７１                     ハブ部
７２                     保持部
７３                     スポイラー
７３１                  基部
７３２                  末端
７３３                  内縁
７３４                  外縁
７４                     安定リング
１００                  気流発生装置
【図１Ａ】
2007032348.tif 000003
【図１Ｂ】
2007032348.tif 000004
【図１Ｃ】
2007032348.tif 000005
【図２】
2007032348.tif 000006
【図３】
2007032348.tif 000007
【図４】
2007032348.tif 000008
【図５】
2007032348.tif 000009
【図６】
2007032348.tif 000010
【図７】
2007032348.tif 000011
【図８】
2007032348.tif 000012
【図９】
2007032348.tif 000013
【図１０】
2007032348.tif 000014
【図１１】
2007032348.tif 000015
【図１２】
2007032348.tif 000016
【図１３】
2007032348.tif 000017
【図１４】
2007032348.tif 000018
【図１５】
2007032348.tif 000019
【図１６】
2007032348.tif 000020